(57)【要約】      （修正有）【課題】  ジュース等の各種の液体が充填されたペットボトル等の収納容器の装飾体として用い、収納容器の外観品質を向上させて、需要者の購買意欲を惹起すると共に、収納容器内部の液体を飲み乾した後には、収納容器から取り外して置物としても使用することができる収納容器の装飾体の提供を図る。 【解決手段】  収納容器５０の蓋体５１に着脱可能に係合して使用される装飾体１０であって、上記装飾体１０は、装飾部本体１１と、上記装飾部本体１１を上記蓋体５１に対して固定しうる支持部１２とを備え、上記装飾部本体１１には、内部に装飾物１３を収納しうると共に、収納した装飾物１３を取り出しうる孔部１４が設けられ、上記支持部１２は、上記装飾部本体１１に着脱できるように取り付けられている。【選択図】図１
2006290391.tif 000002
【特許請求の範囲】
【請求項１】
収納容器の蓋体に着脱可能に係合して使用される装飾体であって、
上記装飾体は、装飾部本体と、上記装飾部本体を上記蓋体に対して固定しうる支持部とを備え、
上記装飾部本体には、内部に装飾物を収納しうると共に、収納した装飾物を取り出しうる孔部が設けられ、
上記支持部は、上記装飾部本体に着脱できるように取り付けられていることを特徴とする収納容器の装飾体。
【請求項２】
上記支持部は、上記装飾部本体に対して水密状態で係合しうるように形成されていることを特徴とする請求項１記載の収納容器の装飾体。
【請求項３】
上記装飾部本体は、外部から上記装飾物を視認できるように形成されていることを特徴とする請求項２記載の収納容器の装飾体。
【請求項４】
上記孔部の周縁には、上記支持部が係合しうる係止部が形成されていることを特徴とする請求項１乃至３記載の収納容器の装飾体。
【請求項５】
上記孔部の係止部は、ネジ部により形成されているとともに、上記支持部には上記ネジ部に係合しうるネジ部が形成されていることを特徴とする請求項４記載の収納容器の装飾体。
【請求項６】
上記孔部の係止部は、係合凸部により形成されているとともに、上記支持部には上記係合凸部に係合しうる係合凹部が形成されていることを特徴とする請求項４記載の収納容器の装飾体。
【請求項７】
上記支持部は、閉止面部と、上記閉止面部の周縁において閉止面部に対して直角方向に延設されて上記閉止面部を包囲するように形成された側面部とを有していることを特徴とする請求項５乃至６記載の収納容器の装飾体。
【請求項８】
上記側面部の閉止面部下方側の内側面には、上記蓋体に嵌め込んで装着しうる蓋体収納部が形成されると共に、
上記側面部の上記閉止面部の上方側の内側面には、上記係止部のネジ部に係合しうるネジ部が形成されていることを特徴とする請求項７記載の収納容器の装飾体。
【請求項９】
上記側面部の閉止面部下方側の内方には、上記蓋体に嵌め込んで装着しうる蓋体収納部が形成されると共に、
上記側面部の上記閉止面部の上方側の内側面には、上記孔部の係止部の係合凸部に係合しうる係合凹部が形成されていることを特徴とする請求項７記載の収納容器の装飾体。
【請求項１０】
上記蓋体には、蓋体係合凸部が形成されていると共に、
上記支持部には、上記蓋体係合凸部に係合しうる蓋体係合凹部が設けられていることを特徴とする請求項１乃至９記載の収納容器の装飾体。
【請求項１１】
上記装飾体は、アダプタを介して上記蓋体に着脱可能に形成され、
上記アダプタには、アダプタ係合凸部が形成され、
上記支持部には、上記アダプタ係合凸部に係合しうるアダプタ係合凹部が設けられていることを特徴とする請求項１乃至９記載の収納容器の装飾体。
【請求項１２】
上記アダプタは、端部が閉塞された円筒により形成され、上記アダプタの開口側周縁には、上記アダプタを上記蓋体に装着した場合に、上記蓋体の開口側周縁に係合しうるアダプタ係合凸部が形成され、
上記支持部のアダプタ係合凹部は、上記支持部の側面部の内方に設けられ、上記アダプタ係合凸部は、上記アダプタの外周面に設けられていることを特徴とする請求項１１記載の収納容器の装飾体。
【請求項１３】
上記支持部は光透過性のある素材により形成され、上記装飾部本体内方に装飾物を収納した場合に、上記装飾物を照射しうる光源が設けられていることを特徴とする請求項１０乃至１２記載の収納容器の装飾体。
【発明の詳細な説明】
【技術分野】
【０００１】
本発明は収納容器の装飾体に係り、特に、水密状態を形成しうるとともに、装飾物を自由に収納できると共に自由に取り出すことができ、収納容器から取り外して置物としても使用することができる収納容器の装飾体に関する。
【背景技術】
【０００２】
従来から、市販のＰＥＴボトルのキャップに装飾体が載置された飾りキャップを係合させることにより、各人のペットボトルを、他人のボトルと見分けがつくようにした、飲料水などの液体を充填したＰＥＴボトル等の飾りカバーキャップが存在する（特許文献１、特許文献２、特許文献３）。
【０００３】
上記飾りカバーキャップは、カエル等の動物模型や、キャラクターを配置した装飾体をカバーキャップの上面に配設させることによって、他人のボトルとの識別を図るものである。
上記飾りカバーキャップの装飾体として、キャップ上部に半球状の透明なドームを設け、該ドームの内部に透明な液体を満たし、イルカ、クジラなどの動物の模型その他の模型を浮遊させた飾りカバーキャップが存在する（特許文献１）。
【０００４】
上記飾りキャップは、他人のペットボトルとの識別を図るとともに、上記ドーム内部に液体を充填して模型等を浮遊させ、上記模型に対し動きを与えることにより、使用者に興味を抱かせ、上記飾りキャップに対し装飾効果を与えるものである。
【特許文献１】実登３０６６７０９号
【特許文献２】実登３０５７０８２号
【特許文献３】特開２００１−２５３４６１号
【発明の開示】
【発明が解決しようとする課題】
【０００５】
しかしながら、特許文献１にかかる発明は、該飾りカバーキャップの上部にあらかじめ液体が充填されたドームが配設されているため、飾りカバーキャップ部分の重量が嵩むという問題点が存在する。
【０００６】
また、上記飾りカバーキャップは、ペットボトル等の購入後に、後からボトルのキャップに被せて使用されるように構成されている。
従って、このようなカバーキャップにあっては、販売のための流通ルートにおいてペットボトル等に装着されて使用した場合には、上記液体が充填された飾りカバーキャップが配設されたボトルの搬送中に、上記液体が充填されているドーム部が破損することにより液体が漏洩するおそれがある。
従って、上記液体が充填されている飾りキャップをボトル上部に装着した状態でコンビニエンスストア等の店頭で販売することは不可能である。
【０００７】
また、特許文献２、３の発明にかかる飾りカバーキャップには、キャラクター等の装飾体があらかじめカバーキャップに固定して取り付けられているため、上記キャラクターのみを上記飾りカバーキャップから取り外して用いることはできない。
【０００８】
そこで、本発明が解決しようとする課題は、ジュース等の各種の液体が充填されたペットボトル等の収納容器の装飾体として用い、収納容器の外観品質を向上させて、需要者の購買意欲を惹起すると共に、収納容器内部の液体を飲み乾した後には、収納容器から取り外して置物としても使用することができる収納容器の装飾体の提供を図ることにある。 
【課題を解決するための手段】
【０００９】
このような技術的課題解決のため、請求項１記載の発明にあっては、収納容器５０の蓋体５１に着脱可能に係合して使用される装飾体１０であって、上記装飾体１０は、装飾部本体１１と、上記装飾部本体１１を上記蓋体５１に対して固定しうる支持部１２とを備え、上記装飾部本体１１には、内部に装飾物１３を収納しうると共に、収納した装飾物１３を取り出しうる孔部１４が設けられ、上記支持部１２は、上記装飾部本体１１に着脱できるように取り付けられていることを特徴とする。
したがって、上記装飾部本体１１の内部に装飾物１３を収納することができるとともに、必要に応じて収納した装飾物１３を上記装飾部本体１１の外方へ取り出すことができる。
【００１０】
請求項２記載の発明は、上記支持部１２は、上記装飾部本体１１に対して水密状態で係合しうるように形成されていることを特徴とする。
したがって、上記装飾部本体１１の内部に収納された液体が漏洩しないように保持することができる。
【００１１】
請求項３記載の発明は、上記装飾部本体１１は、外部から上記装飾物１３を視認できるように形成されていることを特徴とする。
したがって、上記装飾部本体１１の内部に装飾物１３を収納することによって、装飾物１３が内装された装飾物１３の陳列容器として使用することができる。
【００１２】
請求項４記載の発明は、上記孔部１４の周縁１５には、上記支持部１２が係合しうる係止部１６が形成されていることを特徴とする。
したがって、上記支持部１２を上記係止部１６を介して装飾部本体１１に係止させることにより、上記孔部１４を閉止することができる。
【００１３】
請求項５記載の発明は、上記孔部１４の係止部１６は、ネジ部１７により形成されているとともに、上記支持部１２には上記ネジ部１７に係合しうるネジ部１８が形成されていることを特徴とする。
したがって、上記ネジ部１７、１８同士が互いに螺合することにより、上記孔部１４は確実に閉止されることができる。
【００１４】
請求項６記載の発明は、上記孔部１４の係止部１６は、係合凸部１９により形成されているとともに、上記支持部１２には上記係合凸部１９に係合しうる係合凹部２０が形成されていることを特徴とする。
したがって、上記係合凸部１９と上記係合凹部２０とを互いに係合させることにより、上記孔部１４を確実に閉止することができる。
【００１５】
請求項７記載の発明は、上記支持部１２は、閉止面部２１と、上記閉止面部２１の周縁において閉止面部２１に対して直角方向に延設されて上記閉止面部２１を包囲するように形成された側面部２３とを有していることを特徴とする。
したがって、上記閉止面部２１によって、上記装飾部本体１１を確実に密封することができる。
【００１６】
請求項８記載の発明は、上記側面部２３の閉止面部２１下方側の内側面には、上記蓋体５１に嵌め込んで装着しうる蓋体収納部２４が形成されると共に、上記側面部２３の上記閉止面部２１の上方側の内側面には、上記係止部１６のネジ部１７に係合しうるネジ部１８が形成されていることを特徴とする。
したがって、上記ネジ部１７及びネジ部１８を介して上記支持部１２を上記装飾部本体１１に固定させることにより、装飾体１１の孔部１４を確実に密封することができるとともに、上記装飾体１１を上記蓋体５１に対して装着させることができる。
【００１７】
請求項９記載の発明は、上記側面部２３の閉止面部２１下方側の内方には、上記蓋体５１に嵌め込んで装着しうる蓋体収納部２４が形成されると共に、上記側面部２３の上記閉止面部２１の上方側の内側面には、上記孔部１４の係止部１６の係合凸部１９に係合しうる係合凹部２０が形成されていることを特徴とする。
したがって、上記係合凸部１９と係合凹部２０との係合を介して、支持部１２により上記装飾部本体１１の孔部１４を確実に密封できるとともに、上記装飾体１１を上記蓋体５１に対して装着させることができる。
【００１８】
請求項１０記載の発明は、上記蓋体５１には、蓋体係合凸部２６が形成されていると共に、上記支持部１２には、上記蓋体係合凸部２６に係合しうる蓋体係合凹部２７が設けられていることを特徴とする。
したがって、上記支持部１２を上記蓋体５１に対して、上記蓋体係合凸部２６と蓋体係合凹部２７を介して取り付けることができる。
【００１９】
請求項１１記載の発明は、上記装飾体１０は、アダプタ２９を介して上記蓋体５１に着脱可能に形成され、上記アダプタ２９には、アダプタ係合凸部３０が形成され、上記支持部１２には、上記アダプタ係合凸部３０に係合しうるアダプタ係合凹部３１が設けられていることを特徴とする。
したがって、上記装飾体１０を上記アダプタ２９に対して、上記アダプタ係合凸部３０と、上記アダプタ係合凹部３１を介して確実に係合させることができる。
【００２０】
請求項１２記載の発明は、上記アダプタ２９は、端部が閉塞された円筒により形成され、上記アダプタ２９の開口側周縁３３には、上記アダプタ２９を上記蓋体５１に装着した場合に、上記蓋体５１の開口側周縁４８に係合しうる蓋体係合凸部３４が形成され、上記支持部１２のアダプタ係合凹部３１は、上記支持部１２の側面部２３の内方に設けられ、上記アダプタ係合凸部３０は、上記アダプタ２９の外周面３５に設けられていることを特徴とする。
したがって、上記装飾体１０を上記蓋体５１に対して、上記アダプタ２９を介して確実に取り付けることができる。
【００２１】
請求項１３記載の発明は、上記支持部１２は光透過性のある素材により形成され、上記装飾部本体１１内方に装飾物１３を収納した場合に、上記装飾物１３を照射しうる光源３７が設けられていることを特徴とする。
したがって、上記光源３７により発せられる光で上記装飾物１３を照射することができる。
【発明の効果】
【００２２】
本発明は、上記のように構成されているので、以下の効果を奏する。
請求項１記載の発明によれば、上記装飾部本体１１は、内部に装飾物１３を収納しうると共に、収納した装飾物１３を取り出しうる孔部１４が設けられていることから、上記装飾部本体１１に装飾物１３を収納することができる。
従って、ジュース等の各種の液体が充填された収納容器５０の蓋体５１に固定されて販売されることにより収納容器５０の外観品質を高め、当該収納容器５０に係る製品に関する需要者の購買意欲を惹起させうる収納容器５０の装飾体１０を提供することができる。
また、上記装飾部本体１１は、上記支持部１２により収納容器５０に着脱可能に固定されていることから、上記装飾物１３が収納されている装飾体１０を
上記収納容器５０から取り外して、装飾物１３を有する置物又は陳列容器又は置物として使用することができる。
【００２３】
請求項２記載の発明によれば、上記支持部１２は上記装飾部本体１１と係合することによって支持部１２内に水密状態を保持しうることから、ペットボトル等の収納容器５０から取り外した場合には、上記装飾部本体１１に液体４４を注水することによって、液体４４が収納された装飾体１０を置物として使用し、適宜、机等の上に置き、鑑賞することができる。
【００２４】
請求項３記載の発明によれば、上記装飾部本体１１の内部に収納したキャラクターや動物模型等の装飾物１３を外部から観賞することができる。
したがって、上記装飾体１０を収納容器５０の蓋体５１に係合させることによって、上記収納容器５０に装飾効果を付与することができ、飲料水等が封入されている上記収納容器５０に対し興味をもたせ、購買者の購買意欲を惹起させることができる。
【００２５】
請求項４記載の発明によれば、上記孔部１４の周縁１５には係止部１６が形成されていることから、上記装飾部本体１１を上記係止部１６を介して上記支持部１２に対して固定することができる。
その結果、請求項４記載の発明にあっては、装飾体１０を収納容器５０から取り外し、置物として使用する際には、容易に支持部１２を装飾部本体１１から取り外し、水を注水することができる収納容器５０の装飾体１０を提供することができる。
【００２６】
請求項５記載の発明によれば、上記孔部１４の係止部１６及び上記支持部１２には夫々ネジ部１７，１８が形成されていることから、上記装飾部本体１１と上記支持部１２を双方のネジ部１７，１８を互いに螺合させることにより上記装飾部本体１１の孔部１４を閉止することができ、より確実に装飾部本体１１の水密状態を形成することができる。
【００２７】
請求項６記載の発明によれば、上記孔部１４の係止部１６及び上記支持部１２には夫々係合凸部１９及び係合凹部２０が形成されていることから、上記装飾部本体１１と上記支持部１２とを互いに係合させることにより上記装飾部本体１１の孔部１４を閉止することができ、より容易にワンタッチで装飾部本体１１の水密状態を形成することができる。
【００２８】
請求項７記載の発明によれば、上記支持部１２には、閉止面部２１が設けられていることから、上記閉止面部２１により上記装飾部本体１１を閉止することができ、上記装飾部本体１１内に液体４４やキャラクター等の装飾物１３を保持することができる。
【００２９】
請求項８記載の発明によれば、上記装飾部本体１１は上記支持部１２に設けられている蓋体収納部２４を介して、収納容器５０の蓋体５１に装着することができる。
したがって、上記装飾体１０を収納容器５０の装飾体として使用することができる。
また、上記閉止面部２１を上記双方のネジ部１７，１８を介して、上記装飾部本体１１に係合させることにより、上記装飾部本体１１の内部にキャラクター等の装飾物１３や液体４４等を保持することができる。
【００３０】
請求項９記載の発明によれば、上記装飾部本体１１を上記支持部１２に設けられている蓋体収納部２４を介して、収納容器５０の蓋体５１に装着することができる。
また、上記閉止面部２１を上記孔部１４に対して、上記係合凹部２０及び係合凸部１９を介して係合させることにより、上記装飾部本体１１の内部にキャラクター等の装飾物１３や液体４４等を保持することができる。
【００３１】
請求項１０記載の発明によれば、上記装飾体１０は上記蓋体５１に対して、蓋体係合凸部２６と蓋体係合凹部２７とを介して係合されていることから、上記装飾体１０を蓋体５１に確実に取り付けることができ、装飾体１０を収納容器５０に装着した状態で搬送した場合にあっても、上記装飾体１０が蓋体５１から簡単に脱落する事態を防止することができる。
また、上記装飾体１０は上記蓋体５１に対して着脱しうるように形成されていることから、上記装飾体１０を蓋体５１から容易に取り外すことができ、上記装飾体１０を単独で机上等に載置し、装飾物１３が内装されている置物又は陳列容器として使用することができる。
【００３２】
請求項１１記載の発明によれば、上記装飾体１３はアダプタ２９を介して上記蓋体５１に対し係合させることができる。したがって、上記装飾体１０を、係合突起などの係止物が形成されていない、一般に市販されているペットボトル等の蓋体５１に装着して使用することができる。
【００３３】
請求項１２記載の発明によれば、上記装飾体１０は上記アダプタ係合凸部３０及び上記アダプタ係合凹部３１を介して上記アダプタ２９に係合させることができる。したがって、上記装飾体１０を上記アダプタ２９に確実に係止させることができる。
また、上記アダプタ２９は、上記アダプタ２９の下端内周縁３３に形成された蓋体係合凸部３４を介して、上記蓋体５１の開口側周縁４８に係合されていることから、上記蓋体５１に係合凸部等がない市販のペットボトル等の蓋体５１に対しても上記装飾体１０を装着することができる。
従って、上記係合凸部を有する蓋体を別途製作する必要がなく、一般に流通しているペットボトル等の収納容器の蓋体に対して装飾体１０をそのまま適用して装着することにより、需要者の注意を喚起して収納容器に係る商品の購買意欲を増大せしめることが可能となる。
【００３４】
請求項１３記載の発明によれば、上記支持部１２は光透過性のある素材により形成され、上記装飾物１３を照射しうるように形成されていることから、上記装飾部本体１１に収納された装飾物１３や液体４４等をライトアップすることができ、ディスプレイ効果の高い収納容器として使用することができる。
【発明を実施するための最良の形態】
【００３５】
以下、添付図面に示す実施の形態に基づき、本発明にかかる装飾体１０を詳細に説明する。
【００３６】
図１、図３に示すように、本実施の形態に係る装飾体１０は、収納容器５０の蓋体５１に着脱可能に係合して使用される装飾体１０であって、上記装飾体１０は、装飾部本体１１と、上記装飾部本体１１を上記蓋体５１に対して固定しうる支持部１２とを備え、上記装飾部本体１１には、内部に装飾物１３を収納しうると共に、収納した装飾物１３を取り出しうる孔部１４が設けられ、上記支持部１２は、上記装飾部本体１１に着脱できるように取り付けられている。
【００３７】
上記支持部１２は、上記装飾部本体１１に対して水密状態で係合しうるように形成されている。上記装飾部本体１１は、外部から上記装飾物１３を視認できるように形成されている。
【００３８】
図３に示すように、上記孔部１４の周縁１５には、上記支持部１２が係合しうる係止部１６が形成されている。
上記孔部１４の係止部１６は、ネジ部１７により形成されているとともに、上記支持部１２には上記ネジ部１７に係合しうるネジ部１８が形成されている。
【００３９】
この場合、図７に示すように、上記孔部１４の係止部１６は、係合凸部１９により形成されているとともに、上記支持部１２には上記係合凸部１９に係合しうる係合凹部２０が形成されていてもよい。
【００４０】
図２、図３に示すように、上記支持部１２は、閉止面部２１と、上記閉止面部２１の周縁において閉止面部２１に対して直交方向に延設されて上記閉止面部２１を包囲するように形成された側面部２３とを有している。
【００４１】
図３に示すように、上記側面部２３の閉止面部２１下方側の内方には、上記蓋体５１に嵌め込んで収納容器５０に装着しうる蓋体収納部２４が形成されていると共に、上記側面部２３の上記閉止面部２１の上方側の内側面には、上記孔部１４の係止部１６のネジ部１７に係合しうるネジ部１８が形成されている。
【００４２】
この場合、図７に示すように、上記側面部２３の閉止面部２１下方側の内側面には、上記蓋体５１に嵌め込んで装着しうる蓋体収納部２４が形成されると共に、上記側面部２３の上記閉止面部２１の上方側の内側面には、上記孔部１４の係止部１６の係合凸部１９に係合しうる係合凹部２０が形成されていてもよい。
【００４３】
図２に示すように、上記蓋体５１には、蓋体係合凸部２６が形成されていると共に、上記支持部１２には、上記蓋体係合凸部２６に係合しうる蓋体係合凹部２７が設けられている。
【００４４】
図６に示すように、上記装飾体１０は、アダプタ２９を介して上記蓋体５１に着脱しうるように形成され、上記アダプタ２９には、アダプタ係合凸部３０が形成され、上記支持部１２には、上記アダプタ係合凸部３０に係合しうるアダプタ係合凹部３１が設けられている。
【００４５】
図６に示すように、上記アダプタ２９は、上端に閉塞面部３２を有する円筒状に形成され、上記アダプタ２９の下端内周縁３３には、上記アダプタ２９を上記蓋体５１に装着した場合に、上記蓋体５１の開口側周縁４８に係合しうる蓋体係合凸部３４が形成され、上記支持部１２のアダプタ係合凹部３１は、上記支持部１２の側面部２３の内方に設けられ、上記アダプタ係合凸部３０は、上記アダプタ２９の外周面３５に設けられている。
【００４６】
図１１に示すように、上記支持部１２は光透過性のある素材により形成され、上記装飾部本体１１内方に装飾物１３を収納した場合に、上記装飾物１３を照射しうる光源３７が設けられている。 
【実施例】
【００４７】
図1〜図4は、本発明に係る装飾体１０の第一実施例を示す。
本実施例に係る装飾体１０にあっては、図１に示すように、ＰＥＴボトル等の収納容器５０の蓋体５１に装着して使用される装飾体１０として形成されている。
また、図４に示すように、上記装飾体１０を蓋体５１から取り外して載置面４５に載置することにより、装飾物１３の陳列容器、置物として使用できるように形成されている。
【００４８】
図３に示すように、上記装飾体１０はドーム状に形成された装飾部本体１１と、上記装飾部本体１１を固定しうる支持部１２とにより構成されており、上記装飾部本体１１の下端部には装飾部本体１１の内部に装飾物１３を収納しうると共に、収納した装飾物を取り出しうる孔部１４が開設されている。
本実施例にあっては、上記装飾部本体１１は、透明又は半透明のプラスティック素材により形成されている。
【００４９】
図３に示すように、上記装飾部本体１１は、開口側端部において所定の幅寸法の段部５６が直径方向に沿って形成され、この段部５６の内方縁部６４から外方へ直交するように所定幅の係止部１６が外方へ延出されており、この係止部１６により画成されて内方に上記孔部１４が形成されている。上記係止部１６は外周面にネジ部１７を有している。
【００５０】
一方、図３に示すように、上記支持部１２は、非透明なプラスティック素材により形成された短円筒部材からなり、支持部１２が上記装飾部本体１１に装着された場合には上記孔部１４を下方から閉止しうる閉止面部２１と、この閉止面部２１の周縁部に形成された側面部２３とを備えている。
【００５１】
上記側面部２３は、上方に向かって収縮するテーパーを有する円環状の外側面部３８と、上記外側面部３８の内方に配置され、上記外側面部３８の上端周縁３９において軸方向に沿って、上記閉止面部２１に対し直交方向に延設され、上記外側面部３８と同様に円環状に形成された内側面部４０とにより形成されている。
【００５２】
上記閉止面部２１は、上記内側面部４０の内方において、上記外側面部３８の上端周縁３９から高さ寸法の略３分の１下方となる位置において上記内側面部４０に直交して連設されている。
【００５３】
図３に示すように、上記閉止面部２１は全体略凸状に形成され、側面部５８は上記内側面部４０の内方側面部５７から離間して配置されている。この閉止面部２１の側面部５８と内側面部４０の内方側面部５７との間の間隔寸法Ｗ９は、上記係止部１６の幅寸法Ｗ１０よりもやや大きく形成されており、上記側面部５８と内方側面部５７との間には上記装飾部本体１１の係止部１６の収納部５９が形成されている。
【００５４】
また、上記係止部１６の閉止面部２１の突部６０は装飾部本体１１内に固定された場合には、装飾物１３が載置される載置台４１として機能する。
従って、上記支持部１２が装飾部本体１１に装着される場合には、上記係止部１６が上記内側面部４０と閉止面部２１との間に形成される収納部５９に配置されると共に、上記凸部６０が装飾部本体１１内に進入して配置され、載置台４１を構成する。
【００５５】
上記内側面部４０の上端内方には、全周縁に亘ってネジ部１８が形成されている。このネジ部１８の間の直径寸法Ｗ２は、装飾部本体１１の孔部１４に設けられた係止部１６の直径寸法Ｗ１と同一に形成されると共に高さ寸法Ｌ１は、上記孔部１４のネジ部１７の高さ寸法Ｌ２と同一の高さ寸法により形成され、接合時には互いに螺合しうるように形成されている。
【００５６】
従って、図４に示すように、上記係止部１６に設けられているネジ部１７と上記支持部に設けられているネジ部１８とが螺合することにより、支持部材１２が装飾体本体１１の下端部にしっかりと固定されて上記孔部１４を閉止し、上記装飾部本体１１の内部に水密状態を形成することができる。
【００５７】
図２に示すように、上記側面部２３の閉止面部２１下方側において、上記内側面部４０により形成され、収納容器５０の蓋体５１を収納しうる蓋体収納部２４が設けられている。
上記蓋体５１は、上端が閉塞面部２８により形成された短円筒状に形成され、上記収納容器５０に対して着脱できるように形成され、上記収納容器５０を水密状態で係合することができるように形成されている。
【００５８】
図２に示すように、上記支持部１２に設けられている蓋体収納部２４は、上記蓋体５１の外径寸法Ｗ４と同一の内径寸法Ｗ３に形成されていると共に、上記閉止面部２１と外側面部３８の下端部４６との間の間隔寸法Ｌ３は、上記蓋体５１の高さ寸法Ｌ４と、略同一寸法に形成されている。
【００５９】
図２に示すように、蓋体５１の周縁には４箇所に互いに対向して４つの蓋体係合凸部２６が形成されていると共に、上記支持部１２には、上記蓋体係合凸部２６に係合しうる蓋体係合凹部２７が設けられている。
【００６０】
図２に示すように、上記蓋体係合凹部２７は、上記内側面部４０の下端部において、互いに直交する位置に４箇所に設けられている。
上記閉止面部２１から上記蓋体係合凹部２７までの間隔寸法Ｌ５と、上記蓋体５１の閉塞面部２８から上記蓋体係合凸部２６までの間隔寸法Ｌ６は同一に形成されている。
【００６１】
なお、図２に示すように、上記蓋体５１の内方には、上記収納容器５０に係合しうるネジ部が形成され、本実施例においては、ＰＥＴボトル等の飲料ボトルであって、上記収納容器５０の口部５５には、ネジ部４３が形成され、上記蓋体５１は収納容器５０の口部５５に固定されて口部５５を開閉可能に閉止する。
【００６２】
以下、本発明にかかる装飾体１０の第一実施例の作用について説明する。
上記装飾体１０は、図１に示すように、装飾部本体１１内にキャラクターや動物等の装飾物１３を収納して、ＰＥＴボトルのジュース等の液体飲料水の収納容器５０の蓋体５１に固定されて使用される飲料ボトルの飾りキャップとして用いられる。
即ち、上記支持部１２のネジ部１８が装飾部本体１１のネジ部１７と螺合することにより、支持部１２は装飾部本体１１に固定され、内部に装飾物１３を収納した状態で孔部１４を閉塞している。この場合、上記支持部１２の閉止面部２０の突部６０は装飾部本体１１内に挿入して配置され、装飾物１３の載置台４１として機能する。
そして、装飾体１０は、上記支持部１２の蓋体収納部２４内に蓋体５１を収納して蓋体５１上に被冠され、各種飲料が収納されたペットボトル等の収納容器５０に固定されて販売店の店頭で販売される。
【００６３】
従って、図１に示すように、上記装飾部本体１１の内部にはアニメキャラクターや動物等の装飾物１３が収納され、上記装飾部本体１１は内部が視認できる透明素材により形成されているため、上記装飾物１３により装飾された収納容器５０であるとして、購買者の関心を惹きつけ、上記装飾体１０が装着された飲料ボトルに対する購買意欲を惹起することができる。
【００６４】
また、上記装飾体１０が装着された、ジュース等が充填されている収納容器５０を購入後に、上記装飾部本体１１のネジ部１７と支持部１２のネジ部１８の螺合を解除し、上記支持部１２を上記装飾部本体１１から取り外し、上記装飾部本体１１の内部に水などの液体４４を注入し、その後、再度、上記ネジ部１７，１８を螺合させて、支持部１２を装飾部本体１１に固定することにより、上記装飾部本体１１を水密状態とし上記装飾部本体１１内に液体を保持することができる。
【００６５】
即ち、図４に示すように、上記装飾体１０を上記収納容器５０の蓋体５１から取り外し、上記装飾体１０を上記支持部１２に設けられた外側面部３８及び内側面部４０を介して載置面４５に置くことにより、上記装飾体１０を装飾物１３の陳列容器又は置物として使用することができる。
【００６６】
このように上記液体４４が封入された場合には、上記装飾部本体１１を通して見る液体４４そのものが美しく、また、上記収納された装飾物１３が液体４４により光が反射することなく透過することから、外部から内部の装飾物１３をよりクリアに視認することができ、装飾体１０をより装飾性の高い置物として、使用することができる。
【００６７】
図７、図８は本発明に装飾体の第二実施例を示し、以下に、前記第一の実施例の構成とは異なる部分のみを記す。
本実施例にあっては、前記実施例とは異なり、上記装飾部本体１１ａの係止部１６ａの外側面部には係合凸部１９が形成されていると共に、上記内側面部４０ａの内方側面部５７には、上記係合凸部１９に係合しうる係合凹部２０が形成されている。
【００６８】
図７に示すように、上記係合凸部１９は、上記係止部１６ａの下端部において直交方向において互いに対向する４箇所の部位に形成されている。
また、上記係合凹部２０は、内側面部４０aの内方側面部５７ａにおいて、上記同様に直交方向において互いに対向して４箇所に形成されている。
【００６９】
上記係合凸部１９の間の直径寸法Ｗ１２は、支持部１２ａに設けられた係合凹部２０の間の直径寸法Ｗ１３と同一に形成されている。
また、上記係止部１６ａの基端部から上記係合凸部１９までの寸法Ｌ１３は、上記支持部１２ａの側面部２３ａの上端周縁３９ａから上記係合凹部２０までの寸法Ｌ１４と同一の寸法により形成され、接合時には互いに係合しうるように形成されている。
【００７０】
従って、図８に示すように、上記装飾部本体１１aの係止部１６の係合凸部１９と、上記支持部１２ａに設けられている係合凹部２０とが夫々係合することにより、支持部材１２ａが装飾体本体１１ａの下端部にしっかりと固定されて、上記孔部１４ａを閉止し、上記装飾部本体１１ａの内部に水密状態を形成することができる。
【００７１】
本発明にかかる装飾体の第二実施例の作用について説明する。
図７、図８に示すように、装飾部本体１１ａの係合凸部１９が、支持部１２ａに設けられた係合凹部２０と係合することにより、上記支持部１２ａは装飾部本体１１ａに固定され、内部に装飾物１３ａを収納した状態で孔部１４ａを閉塞している。
【００７２】
上記支持部１２ａを上記装飾部本体１１ａに装着する場合には、上記装飾部本体１１ａの係止部１６ａと上記支持部１２ａの収納部５９とを互いに係合して押圧することにより、上記係止部１６に設けられた上記係合凸部１９が、上記係合凹部２０側に押圧され、上記支持部１２ａと装飾部本体１１ａとが互いに係合される。
したがって、容易にワンタッチで装飾部本体１１の水密状態を形成することができる。
【００７３】
図８に示すように、上記装飾部本体１１ａと上記支持部１２ａとが装着された場合にあっては、上記装飾部本体１１ａの内部において水密状態が形成されるため、上記装飾部本体１１ａの内部に水などの液体４４ａを注入することによって液体４４ａが封入された装飾体１０ａとして使用することができる。
【００７４】
また、上記装飾体１０ａが係合されたジュース等が充填されている収納容器を購入後に、上記装飾部本体１１ａと上記支持部１２ａとを互いに反対方向へ引っ張り離間させることにより、容易にワンタッチで上記係合状態を解除することができ、上記装飾部本体１１ａの内部に水などの液体４４ａを注入し、その後、再度、上記係合凸部１９と上記係合凹部２０とを係合させて、支持部１２ａを上記装飾部本体１１ａに固定することにより、上記装飾部本体１１ａ内に液体４４を保持することができる。
【００７５】
図５、図６は本発明に係る装飾体の第三実施例を示し、以下に、前記第一の実施例とは異なる部分のみを記す。
本実施例にあっては、前記実施例とは異なり、装飾体１０ｂは、アダプタ２９を介してＰＥＴボトル等の収納容器５０ｂの蓋体５１ｂに装着して使用される装飾体１０ｂとして形成されている。
図６に示すように、上記アダプタ２９は、上端に閉塞面部３２を有する短円筒状に形成されると共に、蓋体収納部６２内に蓋体５１ｂを収納して、上記蓋体５１ｂに着脱可能に被冠できる大きさに形成されている。
【００７６】
一方、本実施例にあっては、前期第一及び第二実施例における上記支持部１２の蓋体収納部２４は、本実施例においては、アダプタ収納部６３として形成されている。
【００７７】
上記アダプタ２９は上述のように蓋体５１ｂに被冠することができるように蓋体５１ｂよりも大きく形成されていることから、上記アダプタ収納部６３の直径寸法Ｗ６も、上記アダプタ２９を収納しうるように、前記実施例における蓋体収納部２４の直径寸法Ｗ３よりも大きく形成されている。
また、上記閉止面部２１ｂと外側面部３８ｂの下端部４６ｂとの間隔寸法Ｌ７は、上記アダプタ２９の高さ寸法Ｌ８と、略同一寸法に形成されている。
【００７８】
図６に示すように、上記アダプタ２９には、アダプタ係合凸部３０が形成されていると共に、上記支持部１２ｂには、上記アダプタ係合凸部３０に係合しうるアダプタ係合凹部３１が設けられている。
【００７９】
図６に示すように、上記アダプタ係合凸部３０は、上記アダプタ２９の外周面３５において、互いに直交する位置に４箇所に設けられ、上記アダプタ係合凹部３１は、上記内側面部４０ｂの下端部において、互いに直交する位置に４箇所に形成されている。
【００８０】
上記閉止面部２１ｂから上記アダプタ係合凹部３１までの間隔寸法Ｌ９と、上記アダプタ２９の閉塞面部３２から上記アダプタ係合凸部３０までの間隔寸法Ｌ１０は同一に形成されている。
したがって、上記装飾体１０を上記アダプタ係合凸部３０及び上記アダプタ係合凹部３１を介して上記アダプタ２９に係止させることができ、上記間隔寸法Ｌ７と、上記高さ寸法Ｌ８とは略同一に形成されていることから、蓋体５１ｂを上記アダプタ収納部６３内に完全に収納させた状態で固定することができる。
【００８１】
図６に示すように、上記アダプタ２９の下端内周縁３３には、蓋体係合凸部３４が設けられている。
上記蓋体係合凸部３４は、上記下端内周縁３３からアダプタ２９の内方に向かって突出して形成され、本実施例においては、上記蓋体係合凸部３４は、上記下端内周縁３３において、互いに直交する位置に４箇所に設けられている。
【００８２】
図６に示すように、上記アダプタ２９の内径寸法Ｗ７は、上記蓋体５１ｂの外形寸法Ｗ８と同一の寸法に形成されている。
また、上記アダプタ２９の閉塞面部３２の内方から上記蓋体係合凸部３４までの距離寸法Ｌ１１は、上記蓋体５１ｂの閉塞面部２８ｂから上記蓋体５１ｂの開口側周縁４８までの距離寸法Ｌ１２と同一の寸法により形成されている。
【００８３】
上記アダプタ２９の閉塞面部３２の内方から上記蓋体係合凸部３４までの距離寸法Ｌ１１は一般に市販されているＰＥＴボトル等の蓋体５１ｂの高さ寸法Ｌ１２と略同寸法に形成されている。
したがって、上記アダプタ２９を上記蓋体５１ｂに係合させることができる。
その結果、上記装飾体１０ｂを上記アダプタ２９を介して上記蓋体５１に係合凸部等がない市販のペットボトル等の蓋体５１に対しても上記装飾体１０を装着することができる。
【００８４】
本発明にかかる装飾体の第三実施例の作用について説明する。上記装飾体１０ｂは図５、図６に示すように、円筒状のアダプタ２９を介してジュース等が充填されている収納容器５０ｂの蓋体５１ｂに固定される。
【００８５】
すなわち、上記アダプタ２９を上記支持部１２ｂのアダプタ収納部６３に配設させることによって、上記アダプタ２９に設けられたアダプタ係合凸部３０が、上記支持部１２ｂに設けられたアダプタ係合凹部３１に係合し、上記アダプタ２９と上記支持部１２ｂとを夫々着脱できるように固定することができる。
【００８６】
また、上記蓋体５１ｂを、上記アダプタ２９の蓋体収納部６２に装着させることによって、上記アダプタ２９の下端内周縁３３に設けられた蓋体係合凸部３４が、上記蓋体５１ｂの開口側周縁４８に係合し、上記蓋体５１ｂと上記アダプタ２９とが夫々着脱できるように固定される。
【００８７】
従って、上記アダプタ２９を用いることによって、係合凸部等の係止物がない蓋体５１ｂに対しても上記装飾体１０ｂを装着させることができ、一般に市販されているＰＥＴボトル等の飲料ボトルの蓋体５１に対しても上記装飾体１０ｂを装着することができる。
【００８８】
図９、図１０は本発明に装飾体の第四実施例を示し、以下に、前記第一の実施例の構成とは異なる部分のみを記す。
本実施例にあっては、前記実施例とは異なり、上記支持部１２ｃを反転させ、上記支持部１２ｃの蓋体収納部２４ｃと上記１１ｃの孔部１４ｃとが夫々対向する状態で上記装飾本体部１１ｃと係合させることにより形成されている。
【００８９】
図９に示すように、上記装飾部本体１１ｃは、開口側端部において所定の幅寸法の段部５６ｃが直径方向に沿って形成され、この段部５６ｃの内方縁部６４から外方へ直交するように所定幅の係止部１６ｃが外方へ延出されており、この係止部１６ｃにより画成されて内方に上記孔部１４が形成されている。上記係止部１６ｃの外側面部には係止凸部５２が形成されている。
【００９０】
図９に示すように、上記支持部１２ｃの上記内側面部４０ｃの外方端部の内方側には、上記係止凸部５２に係合しうる係止凹部５３が直交方向に互いに対向して４箇所に形成されている。
【００９１】
図９に示すように、上記段部５６ｃから上記係止凸部５２までの距離寸法Ｌ１５は、上記支持部１２ｃの外側面部３８ｃの下端部４６ｃから上記係止凹部５３までの距離寸法Ｌ１６と同一の距離寸法により形成されている。
【００９２】
図９に示すように、上記係止凸部５２は、上記係止部１６ｃの外側面において、互いに直交する位置に４箇所設けられている。
【００９３】
図１０に示すように、上記孔部１４ｃに設けられている係止凸部５２と、上記支持部１２ｃに設けられている係止凹部５３とを夫々係合させることにより、上記装飾部本体１１ｃの内部を水密状態に保持することができる。
【００９４】
本発明にかかる装飾体の第四実施例の作用について説明する。上記装飾体１０ｃは図９、図１０に示すように、上記支持部１２ｃを反転させた状態で上記装飾部本体１１ｃに固定し全体略球状の装飾体１０ｃとして形成することができる。
【００９５】
図９に示すように、上記装飾部本体１１ｃに設けられた係止凸部５２を、上記係止凹部５３に係合させることにより、上記装飾部本体１１ｃと上記支持部１２ｃとを互いに着脱できるように接合する。
【００９６】
したがってこの状態で例えば、全体球状態の装飾体１０ｃとして、玩具として用いることができるとともに、上記装飾体１０ｃをカプセル自動販売機等で販売することができる。
【００９７】
また、上記装飾部本体１１ｃと上記支持部１２ｃとが係合されることにより、上記装飾部本体１１ｃの内部を水密状態で保持することができるため、上記装飾部本体１１ｃ内に液体を注入することによって、液体４４ｃが封入されている装飾体１０ｃとして使用することができる。
【００９８】
図１１は本発明に係る装飾体の第五実施例を示す。本実施例に係る装飾体１０ｄにあっては、透明又は半透明の光透過性を有して形成された上記載置台４１ｄの下方に光源３７が配設されている。
本実施例においては、上記各実施例における場合とは異なり、基体収納部２４ｄの上端部において、内側面部４０ｄには、内側面部４０ｄに着脱可能に固定された光源固定板６５が配設されている。
【００９９】
従って、本実施例においては載置台４１ｄと光源固定部６５との間に、光源収納部６６が形成され、この光源収納部６６内に、発光ダイオードにより形成された光源３７が収納されている。
上記光源３７は電源装置により電源が供給され、上記光源３７が発する光が上記載置台４１ｄを透過することによって、上記装飾物１３ｄが照射されうるように形成されている。
上記電源装置は飲料後の飲料ボトル等、使用後の収納容器５０ｄ内に配置され、上記電源装置から光源３７に対して電流を供給することにより、上記装飾物１３ｄに対し、光を照射し上記装飾物１３ｄの装飾効果を高めることができる。
【０１００】
本実施例にあっては、前記実施例とは異なり、図１１に示すように、発光ダイオード等の光源３７により発せられる光によって上記装飾物１３ｄをライトアップすることができる。
したがって、上記ライトアップにより、上記装飾物１３ｄに対する装飾効果を高め、上記装飾体１０ｄ全体をディスプレイ効果の高い装飾物１３ｄの陳列容器として用いることができる。
【０１０１】
また、暗い場所で使用する場合であっても、上記光源３７からの光によって上記装飾物１３ｄを照らし出すことができるため、ディスプレイ効果の高い装飾物の収納容器、置物として用いることができる。
【０１０２】
また、上記装飾部本体１１ｄ内に水や色つきの液体４４ｄ、又は上記液体４４ｄ内を浮遊し、上記光源３７からの光を乱反射させる装飾片５４を封入することによって、装飾効果の高い装飾体１０ｄを形成することができる。
【０１０３】
尚、上記第一実施例乃至第五実施例においては、図４、図８、図１０、図１１に示すように、上記装飾物１３は上記載置台４１に載置されている例を説明したが、上記各実施例における場合とは異なり、上記液体４４内を浮遊する装飾物１３であってもよい。
【０１０４】
また、上記第一実施例においては、図４に示すように、上記係合部凸部２６及び蓋体係合凹部２７は、夫々４箇所に互いに対向して設けられているが、上記実施例における場合とは異なり、上記蓋体５１の外周面３６及び上記内側面部４０の全周に渡って設けられていてもよい。
【０１０５】
また、上記第四実施例においては、、図９に示すように、上記装飾部本体１１ｃは支持部１２ｃに対して、夫々係止凸部５２と係止凹部５３とを介して全体球状に形成されている例を説明したが、上記実施例とは異なり、上記装飾体１０ｃは、上記孔部１４ｃの係止部１６ｃ及び、上記支持部１２ｃに対し夫々ネジ部を設け、上記ネジ部同士を螺合させることにより、上記装飾部本体１１ｃと上記支持部１２ｃとを互いに係合させ、全体球状となるように形成されていてもよい。
【０１０６】
なお、図示していないが、上記閉止面部２１の上面に、Ｏリングやゴムパッキン等を挿入することにより、上記支持部１２を上記装飾部本体１１に装着する際に孔部１４の係止部１６に圧接させ、上記装飾部本体１１の内部に保持された液体４４の漏洩を防止するように構成されていてもよい。
【産業上の利用可能性】
【０１０７】
本件発明は、収納容器の装飾体に係り、特に水密状態を形成しうるとともに、装飾物を自由に収納できるとともに、自由に取り出すことができ、収納容器から取り外して、置物として使用することができる収納容器の装飾体に適用できるものである。 
【図面の簡単な説明】
【０１０８】
【図１】図１は、本発明に係る装飾体を収納容器に装着した状態を示す側面図である。
【図２】図２は、本発明に係る装飾体を収納容器から取り外した状態を示す側面図である。
【図３】図３は、本発明に係る装飾体の装飾部本体と支持部とを夫々取り外した状態を示す全体側面図である。
【図４】図４は、本発明に係る装飾体の装飾部本体内に液体及び装飾物を収納して、載置面に載置した状態を示す全体側面図である。
【図５】図５は、本発明に係る装飾体の第三の実施例にかかり、アダプタを介して装飾体を収納容器に装着した状態を示す側面図である。
【図６】図６は、本発明に係る装飾体の第三の実施例に係る装飾体を収納容器から取り外した状態を示す側面図である。、
【図７】図７は、本発明に係る装飾体の第二の実施例にかかり、装飾部本体と支持部とを夫々取り外した状態を示す全体側面図である。
【図８】図８は、本発明に係る装飾体の第二の実施例にかかり、装飾部本体内に液体及び装飾物を収納して、載置面に載置した状態を示す全体側面図である。
【図９】図９は、本発明に係る装飾体の第四の実施例にかかり、装飾部本体と支持部とを夫々取り外した状態を示す全体側面図である。
【図１０】図１０は、本発明に係る装飾体の第四の実施例にかかり、装飾部本体内に液体及び装飾物を収納して、載置面に載置した状態を示す全体側面図である。
【図１１】図１１は、本発明に係る装飾体の第五の実施例にかかり、装飾部本体内に光源を設けた状態を示す側面図である。
【符号の説明】
【０１０９】
１０    装飾体
１０ａ  装飾体
１０ｂ  装飾体
１０ｃ  装飾体
１０ｄ  装飾体
１１    装飾部本体
１１ａ  装飾部本体
１１ｂ  装飾部本体
１１ｃ  装飾部本体
１１ｄ  装飾部本体
１２    支持部
１２ａ  支持部
１２ｂ  支持部
１２ｃ  支持部
１２ｄ  支持部
１３    装飾物
１３ａ  装飾物
１３ｂ  装飾物
１３ｃ  装飾物
１３ｄ  装飾物
１４    孔部
１４ａ  孔部
１４ｃ  孔部
１５    周縁
１５ａ  周縁
１５ｂ  周縁
１５ｃ  周縁
１６    係止部
１６ａ  係止部
１６ｂ  係止部
１６ｃ  係止部
１７  ネジ部
１８  ネジ部
１９  係合凸部
２０  係合凹部
２１    閉止面部
２１ａ  閉止面部
２１ｂ  閉止面部
２１ｃ  閉止面部
２３    側面部
２３ａ  側面部
２３ｂ  側面部
２３ｃ  側面部
２３ｄ  側面部
２４    蓋体収納部
２４ａ  蓋体収納部
２４ｃ  蓋体収納部
２６  蓋体係合凸部
２７  蓋体係合凹部
２８    閉塞面部＾
２８ｂ  閉塞面部
２９  アダプタ
３０  アダプタ係合凸部
３１  アダプタ係合凹部
３２  閉塞面部
３３  下端内周縁
３４  蓋体係合凸部
３５  外周面
３６  外周面
３７  光源
３８    外側面部
３８ａ  外側面部
３８ｂ  外側面部
３８ｃ  外側面部
３８ｄ  外側面部
３９      上端周縁
３９ａ    上端周縁
４０    内側面部
４０ａ  内側面部
４０ｂ  内側面部
４０ｃ  内側面部
４０ｄ  内側面部
４１    載置台
４１ａ  載置台
４１ｂ  載置台
４１ｃ  載置台
４１ｄ  載置台
４２    下端部
４２ａ  下端部
４２ｃ  下端部
４３  ネジ溝
４４    液体
４４ａ  液体
４４ｂ  液体
４４ｃ  液体
４４ｄ  液体
４５    載置面
４５ａ  載置面
４６    下端部
４６ａ  下端部
４６ｃ  下端部
４８  開口側周縁
５０    収納容器
５０ａ  収納容器
５０ｂ  収納容器
５０ｃ  収納容器
５０ｄ  収納容器
５１    蓋体
５１ａ  蓋体
５１ｂ  蓋体
５１ｃ  蓋体
５１ｄ  蓋体
５２  係止凸部
５３  係止凹部
５４  装飾片
５５  口部
５６    段部
５６ａ  段部
５６ｂ  段部
５６ｃ  段部
５７    内方側面部
５７ａ  内方側面部
５８  側面部
５９  収納部
６０    突部
６０ａ  突部
６０ｂ  突部
６２  蓋体収納部
６３  アダプタ収納部
６４  内方縁部
６５  光源固定部
６６  光源収納部
Ｗ１  外径寸法
Ｗ２  直径寸法
Ｗ３  直径寸法
Ｗ４  外形寸法
Ｗ５  外形寸法
Ｗ６  直径寸法
Ｗ７  内径寸法
Ｗ８  外形寸法
Ｗ９  間隔寸法
Ｗ１０  幅寸法
Ｗ１１  直径寸法
Ｗ１２  直径寸法
Ｌ１    高さ寸法
Ｌ２    高さ寸法
Ｌ３    間隔寸法
Ｌ４    高さ寸法
Ｌ５    間隔寸法
Ｌ６    間隔寸法
Ｌ７    間隔寸法
Ｌ８    高さ寸法
Ｌ９    間隔寸法
Ｌ１０  間隔寸法
Ｌ１１  距離寸法
Ｌ１２  距離寸法
Ｌ１３  距離寸法
Ｌ１４  距離寸法
Ｌ１５  距離寸法
Ｌ１６  距離寸法
【図１】
2006290391.tif 000003
【図２】
2006290391.tif 000004
【図３】
2006290391.tif 000005
【図４】
2006290391.tif 000006
【図５】
2006290391.tif 000007
【図６】
2006290391.tif 000008
【図７】
2006290391.tif 000009
【図８】
2006290391.tif 000010
【図９】
2006290391.tif 000011
【図１０】
2006290391.tif 000012
【図１１】
2006290391.tif 000013